(57)【要約】【課題】携帯性を損なわずに操作性を向上させた小型のカメラを低コストで提供する。【解決手段】カメラ本体１１は互いにスライド自在な２つの筐体１１ａ、１１ｂで構成されており、短縮状態と伸長状態との間でＸ方向にスライド移動されることで伸縮される。筐体１１ａの前面には開口１２が形成されており、この開口１２は例えばゴムのような柔軟部材１３で塞がれている。また、内蔵電池である突出部材１６は回転できるように筐体１１ａ内に取り付けられており、筐体１１ａ、１１ｂと連動して収納位置と突出位置との間で回転する。突出部材１６が突出位置に移動することにより、開口１２を塞いでいる柔軟部材１３は突出部材１６を覆うように伸張される。【選択図】図１
2007133170.tif 000002
【特許請求の範囲】
【請求項１】
カメラ本体の前面に形成された開口と、
前記カメラ本体内に設けられ、前記カメラ本体内に収納される収納位置と前記開口から少なくとも一部が突出される突出位置との間で回転自在に支持された突出部材とを備えていることを特徴とするカメラ。
【請求項２】
前記カメラ本体は、互いにスライド自在な少なくとも２つの部材で構成され、全長が短縮される短縮位置と、全長が伸長される伸長位置との間で伸縮自在であり、前記短縮位置から前記伸長位置にスライドされることに連動して、前記突出部材が前記収納位置から前記突出位置に移動することを特徴とする請求項１記載のカメラ。
【請求項３】
前記カメラ本体には、前記突出部材を回転させる操作ダイヤルが設けられていることを特徴とする請求項１記載のカメラ。
【請求項４】
前記突出部材は、前記カメラ本体内に設けられた電池であることを特徴とする請求項１ないし請求項３いずれか記載のカメラ。
【請求項５】
前記開口は、柔軟性を有する部材で塞がれていることを特徴とする請求項１ないし請求項４いずれか記載のカメラ。
【発明の詳細な説明】
【技術分野】
【０００１】
本発明は、カメラ本体を把持するためのグリップを有するカメラに関する。
【背景技術】
【０００２】
従来、カメラの操作性を向上させるために、カメラ本体にグリップ用の突起を設けて把持し易くしたカメラが広く利用されている。また、このような突起を小さくしたり、突起を設けずに、カメラ本体を小型化して携帯性を向上させたコンパクトカメラも普及している。
【０００３】
カメラにおいて撮影に必要な種々の姿勢における操作性や取扱性を向上させるために、カメラ本体、グリップ等の配置や形状に工夫を加えたものとして、以下のようなものが知られている。
【０００４】
スチル撮影機能と動画撮影機能とを併せ持ち、各々の撮影姿勢において操作性を満足させる、カメラ本体とグリップとが互いに回転自在に支持されているカメラが提案されている（例えば、特許文献１参照）。このカメラでは、カメラ本体とグリップとが互いに回転自在に支持されていることより、グリップ等を持ちかえることなく撮影アングルの変更を可能にしている。
【０００５】
また、使用者の撮影特性に応じた適切な撮影を可能とする、着脱自在なグリップとカメラ本体とからなるカメラが提案されている（例えば、特許文献２参照）。このカメラでは、使用者の撮影特性に応じた形状や機能を有する着脱自在な複数種のグリップの一つをカメラ本体に取り付けることにより、把持し易いグリップを得ることを可能にしている。
【特許文献１】特開平９−４３７１５号公報
【特許文献２】特開２００４−３４３２０６号公報
【発明の開示】
【発明が解決しようとする課題】
【０００６】
しかしながら、特許文献１のカメラでは、操作性を重視しているためにカメラのサイズが大きくなっている。また、特許文献２のカメラでは、使用者の撮影特性に応じて取り付けや交換が可能であるグリップを有していることからカメラはコンパクトであり把持できるが、使用者に応じてグリップの交換が必要となるため手間が掛かり、部品点数も増加することからコストが掛かる。
【０００７】
本発明は、上記課題を解決するためのものであり、携帯性を損なわずに操作性を向上させた小型のカメラを低コストで提供することを目的とする。
【課題を解決するための手段】
【０００８】
上記目的を達成するために、本発明のカメラは、カメラ本体の前面に形成された開口と、前記カメラ本体内に設けられ、前記カメラ本体内に収納される収納位置と前記開口から少なくとも一部が突出される突出位置との間で回転自在に支持された突出部材とを備えていることを特徴とする。
【０００９】
なお、前記カメラは、前記カメラ本体が互いにスライド自在な少なくとも２つの部材から構成され、全長が短縮される短縮位置と、全長が伸長される伸長位置との間で伸縮自在であり、このカメラ本体が前記短縮位置から前期伸長位置にスライドされることに連動して、前記突出部材が前記収納位置から前記突出位置に移動することを特徴とすることが好ましい。
【００１０】
または、前記カメラには、前記突出部材を回転させる操作ダイヤルが設けられていることが好ましい。
【００１１】
さらに、前記カメラは、前記突出部材が前記カメラ本体内に設けられた電池であることが好ましい。
【００１２】
さらに、前記カメラは、前記開口が柔軟性を有する部材で塞がれていることが好ましい。
【発明の効果】
【００１３】
本発明のカメラによれば、カメラ本体の前面に形成された開口と、前記カメラ本体内に設けられ、前記カメラ本体内に収納される収納位置と前記開口から少なくとも一部が突出される突出位置との間で回転自在に支持された突出部材とを備えたことにより、携帯性を損なわずに操作性を向上させることができる。
【００１４】
また、突出部材としてカメラ本体内に設けられた電池を用いているので、専用の突出部材を設ける必要はなく、部品点数が減ることにより低コスト化できると共に、カメラ本体の寸法を小さくすることが可能であり、携帯性を向上させることができる。
【００１５】
さらに、前記開口を柔軟性を有する部材で塞がれていることより、突出部材の露出を抑えることができる。また、突出位置における突出部材は伸張された柔軟部材で覆われることとなるので、柔軟部材によって滑り止め機能を得ることができる。
【発明を実施するための最良の形態】
【００１６】
第１の実施形態であるカメラ１０は、図１に示すように、カメラ本体１１が互いにスライド自在な２つの筐体１１ａ、１１ｂで構成されている。これらの筐体１１ａ、１１ｂは、カメラ本体１１の全長が短縮される短縮位置（図１（Ａ）及び図２（Ａ）に示す位置）と、カメラ本体１１の全長が伸長される伸長位置（図１（Ｂ）及び図２（Ｂ）に示す位置）との間でＸ方向にスライド移動されており、カメラ本体１１が伸縮される。筐体１１ａの前面には開口１２が形成されており、この開口１２は例えばゴムのような柔軟部材１３で塞がれている。筐体１１ａの上面にはシャッタボタン１４が設けられている。筐体１１ｂ前面にはレンズ鏡筒１５が設けられている。
【００１７】
筐体１１ａ内部に設けられた突出部材１６はカメラ本体１１内に設けられた内蔵電池であり、軸１７を中心に回転できるよう筐体１１ａ内に取り付けられている。また、突出部材１６の上面には歯車１８が設けられており、この歯車１８は突出部材１６と一体となって軸１７を中心に回転できるようになっている。また、筐体１１ａ、１１ｂ内部にはラックギヤ１９が設けられており、このラックギヤ１９は筐体１１ｂと一体となってスライドするようになっている。また、ラックギヤ１９は歯車１８と噛み合っている。
【００１８】
以下に、上記構成のカメラ１０の作用について説明する。カメラ本体１１が短縮位置（図２（Ａ））にあるカメラ１０について、筐体１１ａ及び筐体１１ｂをＸ方向に伸長するようにスライドさせると、筐体１１ｂ内部に取り付けられたラックギヤ１９も一体となってスライドする。ラックギヤ１９がスライドすることにより、ラックギヤ１９と噛み合っている歯車１８は、軸１７を中心として時計回りに回転する。また、歯車１８が取り付けられている突出部材１６も、歯車１８と一体となって軸１７を中心として時計回りに回転し、突出部材１６の一部が筐体１１ａの外部へ開口１２から突出する方向へ移動する（図２（Ｂ））。突出部材１６の一部が開口１２から筐体１１ａの外部へ突出する方向へ移動することにより、開口１２を塞いでいる柔軟部材１３は突出部材１６を覆うように伸張される（図１（Ｂ））。これにより、伸張された柔軟部材１３で覆われた前方へ突出した突出部材１６により、カメラ本体１１を把持することができる。
【００１９】
その反対に、カメラ本体１１が伸長位置（図２（Ｂ））にあるカメラ１０について、筐体１１ａ及び筐体１１ｂをＸ方向に縮小するようにスライドさせると、筐体１１ｂ内部に取り付けられたラックギヤ１９も一体となってスライドする。ラックギヤ１９がスライドすることにより、ラックギヤ１９と噛み合っている歯車１８は、軸１７を中心として反時計回りに回転する。また、歯車１８が取り付けられている突出部材１６も、歯車１８と一体となって軸１７を中心として反時計回りに回転し、筐体１１ａ内部へ移動する（図２（Ａ））。突出部材１６が筐体１１ａ内部へ移動することにより、突出部材１６により伸張されていた柔軟部材１３は元の大きさへと縮む（図１（Ａ））。これにより、カメラ１０はコンパクトとなり、携帯性にも優れている。
【００２０】
第２の実施形態であるカメラ３０は、図３（Ａ）、図３（Ｂ）、図４（Ａ）及び図４（Ｂ）に示す。筐体１１ａ内部に設けられた突出部材１６は、軸１７を中心に回転できるように取り付けられている。また、突出部材１６の上面には連動板３１が設けられており、この連動板３１は突出部材１６と一体となって軸１７を中心に回転できるようになっている。また、筐体１１ａ、１１ｂ内部にはロッド３２が設けられており、このロッド３２は筐体１１ｂと一体となってスライドするようになっている。また、ロッド３２の先端部にはピン３２ａが設けられており、このピン３２ａが、連動板３１に形成された溝３１ａと係合している。なお、その他の構成は、カメラ１０と同様であり、同じ部品に同一の符号を付して詳しい説明を省略する。
【００２１】
以下に、上記構成のカメラ３０の作用について説明する。カメラ本体１１が短縮位置（図３（Ａ）、図４（Ａ））にあるカメラ３０について、筐体１１ａ及び１１ｂをＸ方向に伸張するようにスライドさせると、筐体１１ｂ内部に取り付けられたロッド３２も一体となってスライドする。ロッド３２がスライドすることにより、ピン３２ａが溝３１ａ内で移動して、連動板３１は軸１７を中心として時計回りに回転する。また、連動板３１が取り付けられている突出部材１６も、連動板３１と一体となって軸１７を中心として時計回りに回転し、突出部材１６の一部が筐体１１ａの外部へ開口１２から突出する方向へ移動する（図３（Ｂ）、図４（Ｂ））。突出部材１６の一部が開口１２から筐体１１ａの外部へ突出する方向へ移動することにより、カメラ１０と同様に、開口１２を塞いでいる柔軟部材１３は突出部材１６を覆うように伸張される。これにより、伸張された柔軟部材１３で覆われた前方へ突出した突出部材１６により、カメラ本体１１を把持することができる。
【００２２】
その反対に、カメラ本体１１が伸長位置（図３（Ｂ）、図４（Ｂ））にあるカメラ３０について、筐体１１ａ及び筐体１１ｂをＸ方向に縮小するようにスライドさせると、筐体１１ｂ内部に取り付けられたロッド３２も一体となってスライドする。ロッド３２がスライドすることにより、ピン３２ａが溝３１ａ内で移動して、連動板３１は軸１７を中心として反時計回りに回転する。また、連動板３１が取り付けられている突出部材１６も、連動板３１と一体となって軸１７を中心として反時計回りに回転し、筐体１１ａ内部へ移動する（図３（Ａ）、図４（Ａ））。突出部材１６が筐体１１ａ内部へ移動することにより、カメラ１０と同様に、突出部材１６により伸張されていた柔軟部材１３は元の大きさへと縮む。これにより、カメラ３０はコンパクトとなり、携帯性にも優れている。
【００２３】
第３の実施形態であるカメラ４０は、図５（Ａ）、図５（Ｂ）、図６（Ａ）及び図６（Ｂ）に示す。カメラ４０は、カメラ１０及びカメラ３０と異なり、一つの筐体によりカメラ本体４１が形成されている。このカメラ本体４１の前面には開口４２が形成されており、この開口４２は例えばゴムのような柔軟部材（図示せず）で塞がれている。また、カメラ本体４１の前面にはレンズ鏡筒１５も設けられている。カメラ本体４１の上面にはシャッタボタン（図示せず）が設けられている。
【００２４】
カメラ本体４１内部に設けられた突出部材１６は、軸１７を中心に回転できるように取り付けられている。また、突出部材１６の上面には２つの係合溝４３ａ、４３ｂが形成された回転板４３が設けられており、この回転板４３は突出部材１６と一体となって軸１７を中心に回転できるようになっている。また、カメラ本体４１の底面には、突出部材１６と一体となって軸１７を中心に回転できる操作ダイヤル４４が設けられている。また、先端部が屈曲された板ばね４５は、カメラ本体４１内部上面に設けられた取り付けステー４６によって後端部が固定されている。また、板ばね４５の先端部は回転板４３の係合溝４３ａないし係合溝４３ｂと係合する。
【００２５】
以下に、上記構成のカメラ４０の作用について説明する。突出部材１６が収納位置（図５（Ａ）、図６（Ａ））にあるカメラカメラ４０は、回転板４３と板ばね４５とは係合溝４３ａにて係合されている。操作ダイヤル４４をカメラ本体４１の上方から見て時計回りに回転させると、回転板４３と板ばね４５との係合溝４３ａにおける係合は外され、回転板４３は突出部材１６と共に時計回りに回転する。回転板４３の係合溝４３ｂが板ばね４５の位置まで回転すると、回転板４３と板ばね４５とは係合溝４３ｂにて係合される（図５（Ｂ）、図６（Ｂ））。回転板４３と共に回転移動した突出部材１６は開口４２からカメラ本体４１の外部へ一部が突出し、開口４２を塞いでいる柔軟部材（図示せず）は突出部材１６を覆うように伸張される。これにより、伸張された柔軟部材１３で覆われた前方へ突出した突出部材１６により、カメラ本体４１を把持することができる。
【００２６】
その反対に、突出部材１６が突出位置（図５（Ｂ）、図６（Ｂ））にあるカメラ４０について、操作ダイヤル４４をカメラ本体４１の上方から見て反時計回りに回転させると、回転板４３と板ばね４５との係合溝４３ｂにおける係合は外され、回転板４３は突出部材１６と共に反時計回りに回転する。回転板４３の係合溝４３ａが板ばね４５の位置まで回転すると、回転板４３と板ばね４５とは係合溝４３ａにて係合される（図５（Ａ）、図６（Ａ））。回転板４３と共に回転移動した突出部材１６はカメラ本体４１内部へ移動し、突出部材１６により伸ばされていた柔軟部材１３は元の大きさへと縮む。これにより、カメラ４０はコンパクトとなり、携帯性にも優れている。
【００２７】
なお、上記実施形態では、操作ダイヤルをカメラ本体の底面に設けたが、操作ダイヤルはカメラ本体上面に設けてもよい。
【００２８】
また、上記実施形態において、突出部材１６としてカメラ本体内の電池を使用する場合を例に説明を行ったが、電池とは別に新たな部品として突出部材１６を設けても良い。しかし、突出部材として電池を用いると、新たな部品を設ける必要がないため、製造コストやカメラ本体の小型化に有利であり、突出部材１６として電池を用いることが好ましい。
【００２９】
さらに、上記実施形態では、レンズユニットとカメラ本体が一体化された形態のカメラを用いて説明を行ったが、カメラレンズユニットが着脱自在なレンズ交換式のカメラにも本発明を適用することができる。
【図面の簡単な説明】
【００３０】
【図１】本発明を実施した、第１の実施形態であるカメラにおいて、突出部材が収納位置にある状態及び突出位置にある状態についての外観斜視図である。
【図２】第１の実施形態であるカメラにおいて、突出部材が収納位置にある状態及び突出位置にある状態についての一部破断外観斜視図である。
【図３】第２の実施形態であるカメラにおいて、突出部材が収納位置にある状態及び突出位置にある状態についての一部破断外観斜視図である。
【図４】第２の実施形態における突出部材の収納位置及び突出位置の上面図である。
【図５】第３の実施形態であるカメラにおいて、突出部材が収納位置にある状態及び突出位置にある状態についての一部破断外観斜視図である。
【図６】第３の実施形態における突出部材の収納位置及び突出位置の上面図である。
【符号の説明】
【００３１】
１０、３０、４０  カメラ
１１、４１  カメラ本体
１１ａ、１１ｂ  筐体
１２、４２  開口
１３  柔軟部材
１６  突出部材
１７  軸
１８  歯車
１９  ラックギヤ
３１  連動板
３１ａ  溝
３２  ロッド
３２ｂ  ピン
【図１】
2007133170.tif 000003
【図２】
2007133170.tif 000004
【図３】
2007133170.tif 000005
【図４】
2007133170.tif 000006
【図５】
2007133170.tif 000007
【図６】
2007133170.tif 000008